(57)【要約】【課題】火災受信機の入出力端子が不足する場合、あるいは電源容量が不足する場合に、コストを抑えながら、入力端子の不足や電源容量の不足を容易に解決できるようにする。【解決手段】入出力端子Ｔ１、Ｔ２を有した受信機拡張装置１０を、火災受信機２０に接続することによって、使用可能な入出力端子Ｔ１、Ｔ２の数を増やし、火災受信機２０では、全体的な回線の発報を統合して地区表示させるとともに、回線の発報と、駆動との全体的な連動関係の設定を受け付けるようにする。【選択図】図１
2015075985.tif 000002
【特許請求の範囲】
【請求項１】
火災受信機の監視制御可能な回線数を拡張するための受信機拡張装置であって、
入力端子と出力端子とを有し、該入力端子に接続された回線を監視する一方、該出力端子に接続された回線を駆動する回線監視制御部と、
親受信機に接続する通信端子を有し、回線毎の監視状態を親受信機に送信する一方、親受信機から受信した回線毎の駆動指令を前記回線監視制御部に実行させる連動通信部とを備えた受信機拡張装置。
【請求項２】
請求項１に記載の受信機拡張装置において、
商用電源を受けて前記回線監視制御部に電源を供給する電源部を更に備えた受信機拡張装置。
【請求項３】
請求項１又は２に記載の受信機拡張装置を接続する火災受信機であって、
入力端子と出力端子とを有し、該入力端子に接続された回線の発報を監視する一方、該出力端子に接続された回線を駆動する回線監視制御部と、
前記受信機拡張装置に接続する通信端子を有し、前記受信機拡張装置から回線毎の監視状態を受信する一方、前記受信機拡張装置に回線毎の駆動指令を送信する連動通信部と、
自機及び前記受信機拡張装置に接続された回線の発報を統合して地区表示させる拡張表示制御部と、
操作部を有し、自機及び前記受信機拡張装置に接続された回線の発報と、自機及び前記受信機拡張装置に接続された回線の駆動との全体的な連動関係の設定を受け付ける拡張連動設定部とを備えた火災受信機。
【請求項４】
請求項１又は２に記載の受信機拡張装置を請求項３に記載の火災受信機に接続してなり、
前記拡張装置と前記火災受信機とで、警戒対象施設の全体を分担して監視する拡張型自動火災警報設備。
【発明の詳細な説明】
【技術分野】
【０００１】
本発明は、警戒対象施設の火災を監視する自動火災警報設備の改良に関する。
【背景技術】
【０００２】
ビル等の警戒対象施設に、受信機、感知器、地区ベル、防排煙設備、消火設備等を設置し回線によって接続して自動火災警報設備を構成する場合、１台の受信機のみでは、回線の入出力端子が不足するとき、あるいは電源容量が不足するときがある。従来、そのようなときには、複数の受信機を相互鳴動接続することで対応していた。しかし相互鳴動接続では、受信機の間で火災代表出力端子と入力端子とをクロス接続する必要があるため、そのクロス接続した入力端子を感知器の接続用に使えなくなるという問題があった。また相互鳴動接続した場合、受信機をまたぐ部分で出火直上階連動を組むことも難しくなる。
【０００３】
そのような問題に対処した従来技術の例として、次の特許文献１を挙げることができる。この文献には、ＬＡＮにより接続された複数の受信機間で、情報の共有を行えるようにして、異なる受信機間での火災感知器の発報に対する被連動機器の連動を行うことが記載されている。具体的には、火災感知器の発報した受信機は、その受信機内のゾーンの被制御機器を起動させると同時に共有ゾーンの情報をＬＡＮ上に流し、他の受信機がその情報から共通ゾーンを認識して、その共通ゾーンの被制御機器を起動させるような仕組みである。
【先行技術文献】
【特許文献】
【０００４】
【特許文献１】特開2007-12095公報
【発明の概要】
【発明が解決しようとする課題】
【０００５】
ところで前記特許文献１に記載されている火災報知システムでは、受信機がいずれも同等の構成とされ、その各々にゾーンの設定が必要とされる。すなわち受信機の各々が連動制御の機能を持たねばならないので、システム全体がコスト高になる、また受信機の各々にゾーン設定を行うための作業が複雑なので設定ミス等が生じやすい等の問題があると考えられる。
【０００６】
そこで本発明は、１台の受信機のみでは、入出力端子が不足するとき、あるいは電源容量が不足するときに、コストを抑えながら、入力端子の不足や電源容量の不足を容易に解決できるようにすることを目的とする。
【課題を解決するための手段】
【０００７】
本発明は、火災受信機の監視制御可能な回線数を拡張するための受信機拡張装置であって、入力端子と出力端子とを有し、該入力端子に接続された回線を監視する一方、該出力端子に接続された回線を駆動する回線監視制御部と、親受信機に接続する通信端子を有し、回線毎の監視状態を親受信機に送信する一方、親受信機から受信した回線毎の駆動指令を前記回線監視制御部に実行させる連動通信部とを備える。
【０００８】
前記受信機拡張装置は、商用電源を受けて前記回線監視制御部に電源を供給する電源部を更に備えてもよい。
【０００９】
また本発明は、前記受信機拡張装置を接続する火災受信機であって、入力端子と出力端子とを有し、該入力端子に接続された回線の発報を監視する一方、該出力端子に接続された回線を駆動する回線監視制御部と、前記受信機拡張装置に接続する通信端子を有し、前記受信機拡張装置から回線毎の監視状態を受信する一方、前記受信機拡張装置に回線毎の駆動指令を送信する連動通信部と、自機及び前記受信機拡張装置に接続された回線の発報を統合して地区表示させる拡張表示制御部と、操作部を有し、自機及び前記受信機拡張装置に接続された回線の発報と、自機及び前記受信機拡張装置に接続された回線の駆動との全体的な連動関係の設定を受け付ける拡張連動設定部とを備える。
【００１０】
また本発明は、前記受信機拡張装置を、前記火災受信機に接続してなる自動火災警報設備であって、前記拡張装置と前記火災受信機とで、警戒対象施設の全体を分担して監視することを特徴とする。
【発明の効果】
【００１１】
本発明では、受信機の入出力端子が不足するとき、あるいは電源容量が不足するときに、その受信機に、受信機拡張装置を接続するだけで、その不足を解消することができる。また受信機拡張装置は受信機に比べて簡単な構成となるので低コストで提供できる。そして全体的な回線の発報と駆動との連動関係は、受信機で設定すればよいので、設定作業が簡単であり、ミスも生じ難い。
【図面の簡単な説明】
【００１２】
【図１】（ａ）は実施形態とされる拡張装置の基本構成を示すブロック図、（ｂ）は実施形態とされる受信機の基本構成を示すブロック図である。
【図２】図１（ａ）に示した拡張装置を、図１（ｂ）に示した受信機に接続してなる自動火災報知設備の一例を示すシステム図である。
【図３】受信機における連動関係の設定の具体例を示すマトリックスである。
【図４】受信機による地区表示の具体例を示すテーブルである。
【発明を実施するための形態】
【００１３】
本発明は、警戒対象施設の火災を監視して、火災発報に応じて地区ベル、防排煙設備、消火設備等を連動制御する火災受信機を想定し、その受信機の監視制御可能な回線数を、受信機拡張装置によって拡張することを趣旨とする。受信機としてはＰ型受信機が適しているが、本発明はＲ型受信機にも同様に適用できる。
【００１４】
以下の説明では、簡単のため、火災発報に連動させる機器として地区ベルを想定した実施形態について説明するが、同様の仕組みによって、防排煙設備や消火設備等を連動させることができる。
【００１５】
図１（ａ）は実施形態とされる拡張装置の基本構成を示すブロック図、（ｂ）はその拡張装置を接続可能な受信機の基本構成を示すブロック図である。また図２は、前記拡張装置を前記受信機に接続してなる自動火災報知設備の一例を示すシステム図である。
【００１６】
拡張装置１０は、本発明に係る要素として、次のような回線監視制御部１０ａと、連動通信部１０ｂとを備える。
【００１７】
回線監視制御部１０ａは、それぞれ複数の入力端子Ｔ１と出力端子Ｔ２とを有し、入力端子Ｔ１に接続された回線を監視する一方、出力端子Ｔ２に接続された回線を駆動する機能ブロックである。入力端子Ｔ１には各種の感知器２が結線された表示線Ｌが接続され、出力端子Ｔ２には地区ベル３の結線されたベル線ＢＬが接続される。入力端子Ｔ１、出力端子Ｔ２に対して共通端子が設けられているが図では省略している。
【００１８】
回線監視制御部１０ａは入力端子Ｔ１から表示線Ｌを介して感知器２に電源を供給し、感知器２は火災を感知したときには表示線Ｌを短絡させることで発報する。回線監視制御部１０ａは誤報を防止するため、表示線Ｌの発報を所定時間蓄積してから表示線Ｌ毎に火災を判断する。蓄積時間は図示しないディップスイッチ等で予め設定される。なお発報した感知器２は、消火作業後、表示線Ｌへの電源供給を所定時間停止し再投入することによってリセットさせ、それによって復旧される。表示線Ｌに接続する感知器２の数は電源容量によって制限される。
【００１９】
また回線監視制御部１０ａは、地区鳴動の際に出力端子Ｔ２からベル線ＢＬを介して地区ベル３に電源を供給し、地区ベル３はその電源が供給されている間、鳴動するようになっている。ベル線ＢＬに接続する地区ベル３の数は電源容量によって制限される。
【００２０】
連動通信部１０ｂは、親受信機に接続する通信端子Ｔ３を有し、回線毎の監視状態を親受信機に送信する一方、親受信機から受信した回線毎の駆動指令を回線監視制御部１０ａに実行させる機能ブロックである。すなわち回線監視制御部１０ａは入力端子Ｔ１に接続された表示線Ｌ毎の発報を親受信機に通知し、親受信機から受け付けた表示線Ｌの復旧指令、ベル線ＢＬの駆動指令等に従って、発報した感知器２を復旧させたり、地区ベル３を鳴動させたりする。
【００２１】
拡張装置１０は、親受信機から電源を受けてもよいが、商用電源を受けて回線監視制御部１０ａに電源を供給する電源部１０ｃを別途備えてもよい。拡張装置１０に独立した電源部１０ｃを設ければ、親受信機の電源容量の制限を受けずに、必要なだけの感知器２や地区ベル３を拡張装置１０に接続できる。
【００２２】
このように拡張装置１０は簡単な構成なので、これを用いた自動火災報知設備１の全体コストが抑えられる。
【００２３】
一方、受信機２０は、本発明に係る要素として、次のような回線監視制御部２０ａと、連動通信部２０ｂと、拡張表示制御部２０ｄと、拡張連動設定部２０ｅとを備える。
【００２４】
回線監視制御部２０ａは、それぞれ複数の入力端子Ｔ１と出力端子Ｔ２とを有し、入力端子Ｔ１に接続された回線の発報を監視する一方、出力端子Ｔ２に接続された回線を駆動する機能ブロックである。この機能ブロックは拡張装置１０と基本的に共通した構成であるが、入力端子Ｔ１数、出力端子Ｔ２の数は拡張装置１０のものと異なっていても構わない。
【００２５】
連動通信部２０ｂは、受信機２０を親受信機として、拡張装置１０に接続する通信端子Ｔ３を有し、拡張装置１０から回線の監視状態を受信する一方、拡張装置１０に回線の駆動指令を送信する機能ブロックである。
【００２６】
拡張表示制御部２０ｄは、表示窓２０ｇを有し、自機及び拡張装置１０に接続された回線の発報を統合して地区表示させる機能ブロックである。すなわち受信機２０の表示窓２０ｇでは、受信機２０と拡張装置１０を合わせたものがあたかも１台の受信機であるかのような態様で、地区表示が行われる。具体的な表示例は後述する。ここで表示すべき地区の数は、受信機２０に接続する拡張装置１０の数等によって異なるので、柔軟な表示が可能となるよう、表示窓２０ｇは液晶パネル等で構成するとよい。
【００２７】
拡張連動設定部２０ｅは、操作部２０ｆを有し、自機及び拡張装置１０に接続された回線の発報と、自機及び拡張装置１０に接続された回線の駆動との全体的な連動関係の設定を受け付ける機能ブロックである。操作部２０ｆは、地区ベル停止、解除キー、復旧キー、連動関係の設定キー、試験キー等、各種操作キーが設けられる。連動関係の設定時には、拡張表示制御部２０ｄの表示窓２０ｇと連携して対話的な操作ができるようにするとよい。連動関係の設定の具体例は後述する。
【００２８】
なお受信機２０は、商用電源を受けて回線監視制御部２０ａに電源を供給する電源部２０ｃを備える。
【００２９】
拡張装置１０と受信機２０との間での信号伝送の方式は特に制限されない。受信機２０は、ポーリング、セレクティング方式によって、拡張装置１０の各々から回線毎の監視状態を受信し、拡張装置１０の各々に回線毎の駆動指令を送信してもよい。あるいは信号伝送方式として、ＴＣＰ／ＩＰ方式を採用し、拡張装置１０及び受信機２０は、それぞれ監視状態や駆動指令を自発的に送信するようにしてもよい。
【００３０】
拡張装置１０が送信する監視状態の信号には、拡張装置１０の識別情報（アドレス）、表示線Ｌの識別情報（アドレス）、状態情報が含まれる。一方、受信機２０が送信する駆動指令には、拡張装置１０の識別情報（アドレス）、ベル線ＢＬの識別情報（アドレス）、指令内容が含まれる。ポーリング、セレクティング方式の場合は、受信機２０が通信相手の拡張装置１０を指定して通信制御するので、拡張装置１０の識別情報は、その指定の中に含まれていることになる。
【００３１】
図２に示すように、自動火災報知設備１では、複数の拡張装置１０が通信線ＣＬ、ハブ４を介して受信機２０に接続されている。拡張装置１０の各々、及び受信機２０は、表示線Ｌ、ベル線ＢＬによって、複数の感知器２、地区ベル３が接続されている。受信機２０に接続する拡張装置１０の数は特に制限されない。
【００３２】
自動火災報知設備１の運用開始までに、拡張装置１０及び受信機２０にそれぞれ識別情報が設定される。
【００３３】
このように本発明では、受信機２０の入出力端子Ｔ１、Ｔ２が不足するとき、あるいは電源容量が不足するときに、受信機２０に、拡張装置１０を接続するだけで、その不足が解消できる。
【００３４】
監視対象施設が地下２階地上８階のビルであれば、例えば、受信機２０が地下２階から２階までを監視し、１台目の拡張装置１０が３階から６階まで監視し、２台目の拡張装置１０（図示なし）が７階と８階とを監視するというように、拡張装置１０と受信機２０とで、警戒対象施設の全体を分担して監視するようにするとよい。
【００３５】
受信機２０は、筐体の正面上部に、電源の状態、警戒状態、トラブルの発生を報知する表示灯２０ｈが設けられ、その下に、液晶パネルで構成された表示窓２０ｇと、火災ランプと、報知機ランプ等の緊急ランプ２０ｉとが設けられている。更にその下には、受信機音響停止キー、地区ベル停止キー、解除キー、復旧キー等の主操作キー２０ｊが設けられている。更にその下には、連動関係を設定したり、試験を実施したりするための副操作キー２０ｋが設けられている。副操作キー２０ｋは誤操作されないよう保護パネル２０ｍで隠されるようになっている。
【００３６】
自動火災報知設備１の動作は基本的に従来のものと同様である。すなわち受信機２０は、受信機と拡張装置１０を合わせたものがあたかも１台の受信機であるかのような態様で、地区表示や連動制御を行う。
【００３７】
自動火災報知設備１の具体的な基本動作の例を簡単に説明する。警戒状態では、拡張装置１０の各々、受信機２０は、自機から導出されている表示線Ｌを監視している。
【００３８】
監視中、拡張装置１０が表示線Ｌのいずれかで発報を感知したときには、拡張装置１０は、蓄積動作を開始するとともに、蓄積中を受信機２０に送信する。これを受けた受信機２０は、表示窓２０ｇによる地区表示中の、その表示線Ｌに対応した箇所を蓄積中に変更する。
【００３９】
発報の蓄積時間が経過すると、拡張装置１０は、火災発生中（第１報）を受信機２０に送信する。これを受けた受信機２０は、火災ランプを点灯させ、地区表示の対応箇所を火災発生中に変更する。そして更に、受信機２０は、「ピーピー、感知器が作動しました。現場を確認してください」等の受信機音響の出力を開始し、その表示線Ｌに連動設定されているベル線ＢＬの駆動指令を拡張装置１０に送信する。これを受けた拡張装置１０は、その駆動指令で指定されているベル線ＢＬを駆動して、地区ベル３を鳴動させる。なおここで、受信機２０のベル線ＢＬに対しても連動関係が設定されていれば、受信機２０はそのベル線ＢＬを駆動して地区ベル３を鳴動させる。
【００４０】
防災係員は、受信機２０で受信機音響停止キーや地区ベル停止キー等を操作し、現場を確認する。受信機２０は、受信機音響を停止するとともに、ベル線ＢＬの停止指令を拡張装置１０に送信する。これによって拡張装置１０のベル線ＢＬに接続されている地区ベル３の鳴動も停止される。防災係員は、誤報を確認すれば、受信機２０の復旧キーを操作する。これを受けて受信機２０は、火災ランプや地区表示を元に戻すとともに、拡張装置１０に復旧指令を送信して、発報した表示線Ｌの感知器２を復旧させる。
【００４１】
地区ベル３の鳴動開始から所定時間が経過するまでに、復旧キーが操作されないとき、受信機２０が自ら表示線Ｌの火災発生中を判断したとき、又は、拡張装置１０から火災発生中（第２報）を再通知されたときは、受信機２０は、地区表示の対応箇所を火災発生中に変更する。そして更に、受信機２０は、「ピーピー、火事です、火事です。現場を確認してください」等の受信機音響の出力を開始し、停止していた地区ベル３の鳴動を再開させる（逐次鳴動）。このときベル線ＢＬの駆動指令が拡張装置１０に再送信される。防災係員は、火災確認、１１９番通報、避難誘導等を行い、その後消火を確認してから、受信機２０の復旧キーを操作する。これによって受信機２０は、火災ランプや地区表示を元に戻すとともに、復旧指令を拡張装置１０に送信して、発報した表示線Ｌの感知器２を復旧させる。
【００４２】
一方、警戒状態で、受信機２０が表示線Ｌのいずれかで発報を感知したときには、受信機２０は、蓄積動作を開始するとともに、地区表示の対応箇所を蓄積中に変更する。
【００４３】
発報の蓄積時間が経過すると、受信機２０は、火災ランプを点灯させ、地区表示の対応箇所を火災発生中に変更する。そして更に、受信機２０は、「ピーピー、感知器が作動しました。現場を確認してください」等の受信機音響の出力を開始し、この表示線Ｌに対して連動関係が設定されているベル線ＢＬの駆動を開始して地区ベル３を鳴動させる。ここで拡張装置１０のベル線ＢＬに対しても連動関係が設定されていれば、受信機２０はその表示線Ｌに連動設定されているベル線ＢＬの駆動指令を拡張装置１０に送信して、地区ベル３を鳴動させる。
【００４４】
防災係員が受信機２０で受信機音響停止キーや地区ベル停止キー等を操作すれば、受信機音響や地区ベル３が一時停止される。このとき必要であれば、ベル線ＢＬの停止指令が拡張装置１０に送信される。防災係員が誤報を確認して、受信機２０の復旧キーを操作すれば、受信機２０は、火災ランプや地区表示を元に戻すとともに、発報した表示線Ｌの感知器２を復旧させる。
【００４５】
地区ベル３の鳴動開始から所定時間が経過するまでに、復旧キーが操作されないとき、受信機２０が自ら表示線Ｌの火災発生中を判断したとき、又は、拡張装置１０から火災発生中を再通知されたときは、受信機２０は、地区表示の対応箇所を火災発生中に変更する。そして更に、受信機２０は、「ピーピー、火事です、火事です。現場を確認してください」等の受信機音響の出力を開始し、停止していた地区ベル３の鳴動を再開させる（逐次鳴動）。このとき必要であれば、ベル線ＢＬの駆動指令が拡張装置１０に再送信される。その後防災係員が復旧キーを操作すれば、受信機２０は、火災ランプや地区表示を元に戻すとともに、発報した表示線Ｌの感知器２を復旧させる。
【００４６】
図３は、受信機の拡張連動設定部における連動関係の設定の具体例を示すマトリックスである。ここでは、監視対象施設が地下２階地上８階のビルであり、これを受信機と、２台の拡張装置とで分担して監視する場合を想定している。
【００４７】
受信機は地下２階から２階までを監視し、１台目の拡張装置が３階から６階まで監視し、２台目の拡張装置が７階と８階とを監視する。
【００４８】
図のマトリックスＧ１は、受信機、１台目の拡張装置、２台目の拡張装置における表示線の発報を入力とし、受信機、１台目の拡張装置、２台目の拡張装置におけるベル線の駆動を出力とし、その入力を示す各行と、出力を示す各列との交点に連動関係が設定される。なおマトリックスＧ１中、実線枠は、受信機内の連動関係の設定領域を示し、破線枠は、２台の拡張装置によって拡張された連動関係の設定領域を示している。
【００４９】
連動関係の有無は図中、丸印によって示している。この例では、出火階、直上階の鳴動が設定されている。すなわち出火階が地階の場合、出火階と直上階と他の地階を鳴動させ、出火階が１階の場合、出火階と直上階と地階を鳴動させ、出火階が２階以上の階の場合、出火階と直上階を鳴動させるように、全体の連動関係が設定されている。
【００５０】
連動関係の具体的な設定操作は特に制限されないが、例えば表示窓にこのようなマトリックスＧ１を表示し、マトリックスＧ１の所望の交点を選択して、選択した交点の連動関係を設定又は解除できるようにしてもよい。このとき受信機の拡張連動設定部は、受信機に接続されている拡張装置の数を判別して、その数に見合うマトリックスＧ１を自動的に生成するとよい。このように、監視対象施設全体に対して連動関係を一カ所、つまり１台の受信機において統一的に設定できるようにすれば、受信機と拡張装置とにまたがる連動関係の場合でも容易に設定でき、設定ミスも生じ難い。
【００５１】
図４は、受信機の拡張表示制御部による地区表示の具体例を示すテーブルである。この地区表示は、図３と同様に、地下２階地上８階のビルを受信機と、２台の拡張装置とで分担して監視する場合を想定している。
【００５２】
図のテーブルＧ２は、受信機、１台目の拡張装置、２台目の拡張装置における表示線の監視状態を各行として一覧表示としたものである。具体的には、テーブルＧ２の下から順に、受信機の表示線１〜４、１台目の拡張装置の表示線１〜４、２台目の拡張装置の表示線１〜４の監視状態を単一のテーブルＧ２に統合して地区表示させている。テーブルＧ２では、表示線の蓄積中、火災発生中が丸印によって示される。このとき受信機の拡張表示制御部は、受信機に接続されている拡張装置の数を判別して、その数に見合うテーブルＧ２を自動的に生成するとよい。このような表示態様とすれば、受信機の表示線、拡張装置の表示線の監視状態を、受信機、拡張装置の各々で表示する態様に比べて、全体の監視状態が一目で分かり、見落とし等のミスも防止できる。
【００５３】
なおこの例では、受信機の表示線４（２階）が火災発生中となっており、図３のように連動関係が設定されているならば、受信機のベル線４（２階）と、１台目の拡張装置のベル線１（３階）とが駆動され、これらのベル線４、１に接続されている地区ベルが鳴動されることになる。
【符号の説明】
【００５４】
１      自動火災報知設備
１０    受信機拡張装置
１０ａ  回線監視制御部
１０ｂ  連動通信部
１０ｃ  電源部
２０    火災受信機
２０ａ  回線監視制御部
２０ｂ  連動通信部
２０ｄ  拡張表示制御部
２０ｅ  拡張連動設定部
２０ｆ  操作部
Ｔ１    入力端子
Ｔ２    出力端子
Ｔ３    通信端子
【図１】
2015075985.tif 000003
【図２】
2015075985.tif 000004
【図３】
2015075985.tif 000005
【図４】
2015075985.tif 000006